(57)【特許請求の範囲】
【請求項１】
水処理槽の開口を縦断する長さを有し、巻取り繰出しが可能な可撓性を有する透水性の合成樹脂製長尺遮光ネットでなることを特徴とする防藻用カバー。
【請求項２】
長尺遮光ネットは、合成樹脂製の撚り糸でなる縦糸と横糸とを有しかつ撚り糸とは異なる種類の合成樹脂でコート処理した織物でなり、横糸の相互間に通水可能な隙間が形成されている請求項１に記載の防藻用カバー。
【請求項３】
撚り糸がポリエチレン樹脂繊維でなり、織物がポリ塩化ビニル樹脂でコート処理されている請求項２に記載の防藻用カバー。
【請求項４】
遮光率が７０〜９０％である請求項１、請求項２、請求項３のいずれかに記載の防藻用カバー。
【請求項５】
長手方向の一端部に引紐が連結されている請求項１、請求項２、請求項３、請求項４のいずれかに記載の防藻用カバー。
【請求項６】
請求項４に記載の防藻用カバーを巻取り繰出し可能な巻取り機構と、水処理槽の開口を横断して配備された上下のローラの相互間に上記防藻用カバーが挿通される複数のガイド部材と、を備えることを特徴とする防藻用カバーの展張装置。
【発明の詳細な説明】
【０００１】
【発明の属する技術分野】
本発明は、水処理層を防藻するためのカバーと、そのカバーを水処理層の開口を覆う形に展張するための装置に関する。
【０００２】
【従来の技術】
川水などを浄化して飲用に供することなどのための設備である水処理設備の沈砂池で藻が発生することを防止する方法として、従来より、塩素や次亜塩素酸ソーダなどの薬品を投入することが行われている。しかし、沈砂池に薬品を投入することは、処理水が飲用などに供されることを勘案すると好ましいことではない。そこで、沈砂池の開口を合成樹脂製の遮光蓋で覆うことによって遮光による防藻を行う場合がある。
【０００３】
【発明が解決しようとする課題】
ところで、沈砂池の開口は、その縦横長さが１５×１０ｍといった大きな長方形になっているものも多いので、そのように大きな開口の沈砂池に対しては、その開口の大きさに見合う大形の遮光蓋を用いる必要がある。
【０００４】
しかしながら、大形の合成樹脂製の遮光蓋はコストが高い割に取扱性に欠け、また、木の葉などを取り除くときなどのメンテナンスも煩わしいという問題があった。
【０００５】
本発明はこの問題に鑑みてなされたものであり、安価で取扱性にも優れ、メンテナンスも容易な防藻用カバーを提供することを目的とする。
【０００６】
また、本発明は、そのような防藻用カバーで水処理槽の開口を覆ったり、水処理槽の開口を覆っている防藻用カバーを取り外すときに用いられる防藻用カバーの展張装置を提供することを目的とする。
【０００７】
【課題を解決するための手段】
本発明に係る防藻用カバーは、水処理槽の開口を縦断する長さを有し、巻取り繰出しが可能な可撓性を有する透水性の合成樹脂製長尺遮光ネットでなる、というものである。上記長尺遮光ネットとしては、合成樹脂製の撚り糸でなる縦糸と横糸とを有しかつ撚り糸とは異なる樹類の合成樹脂でコート処理した織物でなるものを採用することが可能であり、その際に、撚り糸をポリエチレン樹脂繊維とし、コート処理をポリ塩化ビニル樹脂で行うことが可能である。また、上記長尺遮光ネットの透水性を、横糸の相互間に通水可能な隙間を形成することによって確保することが可能である。防藻用カバーの遮光率は７０〜９０％であることが望ましい。さらに、防藻用カバーは、長手方向の一端部に引紐が連結されていることが望ましい。
【０００８】
このように構成された防藻用カバーは、横糸の相互間に形成された隙間が通水孔として機能するので、その隙間によって透水性を持つことになる。したがって、この防藻用カバーで水処理層の開口を覆うと、雨水が上記隙間を通過するので、雨水の重みで防藻用カバーが垂れ下がったりすることが抑制される。また、この防藻用カバーは、巻取り繰出しが可能な可撓性を有しているので、木の葉などがその上に落ちているときには、防藻用カバーを巻き取ることと併行して取り除くことが可能である。
【０００９】
防藻用カバーを形成している長尺遮光ネットが、ポリエチレン樹脂繊維の撚り糸でなる縦糸と横糸とを有しかつポリ塩化ビニル樹脂でコート処理した織物でなるものでは、大きな強度と耐久性が発揮される。
【００１０】
また、当該防藻用カードの遮光率が７０〜９０％であると、屋外の水処理層における防藻作用が満足のいく程度に発揮されるばかりでなく、雨水が速やかに防藻用カバーの上記隙間を通過する。遮光率が７０％より小さいと、防藻作用が十分に発揮されなくなるおそれがあり、遮光率が９０％より大きいと、雨水が防藻用カバーの上に溜まって防藻用カバーが垂れ下がるおそれがある。
【００１１】
本発明に係る防藻用カバーの展張装置は、防藻用カバーを巻取り繰出し可能な巻取り機構と、水処理槽の開口を横断して配備された上下のローラの相互間に上記防藻用カバーが挿通される複数のガイド部材と、を備える、というものである。
【００１２】
この構成の展張装置によると、巻取り機構を用いて長尺の防藻用カバーを容易に巻き取ったり繰出したりすることができる。そして、ガイド部材を形成している上下のローラは、水処理槽の開口の上で巻取り機構から繰り出された防藻用カバーをガイドしてその繰出し経路を形成することに役立ち、また、上側のローラは、展張された防藻用カバーが風に煽られたときに定位置に保持することに役立ち、下側のローラは、展張された防藻用カバーが垂れ下がることを防ぐことに役立つ。
【００１３】
【発明の実施の形態】
図１は本発明の実施の一形態である防藻用カバーＡの使用状態を示す概略平面図、図２は防藻用カバーＡに用いられている長尺遮光ネット１の部分平面図、図３はガイド部材６の作用を示す部分斜視図、図４は巻取り機構５の概略斜視図である。
【００１４】
防藻用カバーＡは、巻取り繰出しが可能な可撓性を有する透水性の合成樹脂製長尺遮光ネット１でなる。図２のように、長尺遮光ネット１は、ポリエチレン樹脂繊維の撚り糸でなる縦糸１１と横糸１２とを有する織物によって形成されており、しかもその織物はポリ塩化ビニル樹脂でコート処理されている。このため、長尺遮光ネット１は、引張強度に優れ、屈曲しにくく、ロール状に巻き取ったり繰り出したりすることが可能な可撓性を備え、耐水性や耐候性などの屋外使用時の耐久性にも優れている。この長尺遮光ネット１の横糸１２…の相互間に通水可能な隙間Ｓ…が形成されている。したがって、この隙間Ｓにより長尺遮光ネット１に透水性が付与されている。
【００１５】
また、図３に示すように、長尺遮光ネット１の幅方向の両側縁部は細かな織り目を有する縁取り部１３に形成されており、さらに、図１に示すように、長尺遮光ネット１の先端部も細かな織り目を有する先端片部１４に形成されている。
【００１６】
図１において、２は水処理槽の一例である沈砂池の開口を示している。同図で判るように、この開口２は長方形であり、短辺が１５ｍ程度、長辺が３０ｍ程度の長さを有している。そして、上記防藻用カバーＡは、その長さが開口２の長辺よりも長く、その幅が開口２の短辺の半分程度の長さになっている。したがって、同図のように、展張した２枚の防藻用カバーＡ，Ａを開口２の短辺に沿う方向に並べると、開口２を縦断するそれらの防藻用カバーＡ，Ａによって開口１が覆われる。
【００１７】
開口２を防藻用カバーＡ，Ａによって覆っておくと、沈砂池の中が防藻用カバーＡ，Ａによって遮光されるので、藻が発生しにくくなる。防藻用カバーＡ，Ａの遮光機能は、長尺遮光ネット１の縦糸１１と横糸１２とによって発揮される。この意味で、長尺遮光ネット１は黒色に着色されていることが望ましい。他方、横糸１２…の相互間の隙間Ｓによって雨水通過機能が発揮される。遮光率は７０〜９０％であることが望ましい。遮光率が７０〜９０％であると、防藻作用が満足のいく程度に発揮されるばかりでなく、雨水が速やかに上記隙間Ｓを通過する。遮光率が７０％より小さいと、防藻作用が十分に発揮されなくなるおそれがあり、遮光率が９０％より大きいと、雨水が防藻用カバーの上に溜まって防藻用カバーが垂れ下がるおそれがある。なお、雨水は、２枚の防藻用カバーＡ，Ａの間の隙間を主に通過する。
【００１８】
この実施形態では、長尺遮光ネット１の縦糸１１や横糸１２がポリエチレン樹脂繊維の撚り糸で形成されているけれども、これを他の合成樹脂、たとえばポリ塩化ビニル樹脂で形成してもよく、その際には必ずしも撚り糸にする必要はない。また、長尺遮光ネット１を形成している織物は、必ずしもポリ塩化ビニル樹脂でコート処理されている必要はない。
【００１９】
図１のように、防藻用カバーＡの先端片部１４には孔１５があり、この孔１５に引紐３が連結されている。この引紐３は、防藻用カバーＡを展張するときに利用される。引紐３は、図例のように上記先端片部１４の中央に一本だけ設ける以外に、防藻用カバーの先端縁の幅方向両端部に合計で２本を連結しておいても、幅方向中央部と幅方向両端部に合計で３本を連結しておいてもよく、引紐３の本数は必要に応じて適宜選択すべきである。このように引紐３の数を変えることによって、長尺遮光ネット１を後述するガイド部材６の上下のローラ６５，６６の間に通しやすくしたり、長尺遮光ネット１が片引きされるのを防ぐことができる。
【００２０】
次に、上記した防藻カバーＡの展張装置を説明する。この展張装置は、図４に示した巻取り機構５と、図１や図３に示した沈砂池の開口２を横断して配備されたガイド部材６とでなる。
【００２１】
図例の巻取り機構５は、骨組み状の架台５１にリール５２を回転自在に支持させ、そのリール５２に回転操作用のハンドル５３を取り付けたものであり、架台５１には移動が容易になるようにキャスター５４を取り付けてある。ガイド部材６は、ステンレス製のワイヤ６１，６２のそれぞれに合成樹脂パイプ（たとえは塩化ビニルバイプ）６３，６４を回転自在に外嵌してなる上下のローラ６５，６６を備えており、上記ワイヤ６１，６２のそれぞれの両端部が、沈砂池の周囲壁２１に固着したブラケット７，７にフック７１，７１を介して連結されている。フック７１，７１はターンバックル形式のものであり、ワイヤ６１，６２の張力を調節する機能を持っている。このようなガイド部材６は、図１のように沈砂池の開口２の長手方向に所定間隔を隔てて複数設置されている。
【００２２】
この構成の展張装置において、巻取り機構５のリール５２には防藻用カバーＡをロール状に巻き取ることが可能である。防藻用カバーＡの巻取りはハンドル５３を回転操作してリール５２を巻取り方向に回転させることによって行われる。また、巻き取った防藻用カバーＡは、上記した引紐３を引っ張ることによって繰り出され、そのときには、リール５２が防藻用カバーＡの繰出しに伴って繰出し方向に回転する。
【００２３】
防藻用カバーＡで沈砂池の開口２を覆わせるときには、沈砂池の開口２の傍に巻取り機５を搬入し、その巻取り機５に巻き取っている防藻カバーＡの引紐３と長尺遮光ネット１とをガイド部材６の上下のローラ６５，６６の間を通して引き出す。こうして巻取り機５から防藻用カバーＡを繰り出して展張すると、防藻用カバーＡが図１のように沈砂池の開口２を覆う。
【００２４】
沈砂池の開口２を覆っている防藻用カバーＡが風で煽られたときには、複数のガイド部材６の上側のローラ６５がその防藻用カバーＡを複数箇所で押さえてその防藻用カバーＡを定位置に保持する。また、防藻用カバーＡの垂れ下がりは、下側のローラ６６がその防藻用カバーＡを複数箇所で支持しているので防止される。
【００２５】
沈砂池の開口２を覆っている防藻用カバーＡを巻き取るときは、巻き取るべき防藻用カバーＡのところに巻取り機５を搬入し、そこで長尺遮光ネット１の基端部をリール５２に取り付けた後、ハンドル５３を回すとよい。このときに、防藻用カバーＡの上に落ちている木の葉などを取り除くことが可能である。
【００２６】
本発明において、長尺遮光ネットの構成は図例に限定されない。たとえば、長尺の合成樹脂製遮光シートに多数の通水孔を開設した構成にすることも可能である。また、水処理槽としては沈砂池以外の浄化水槽なども含まれる。
【００２７】
【発明の効果】
本発明に係る防藻用カバーは、水処理槽の開口を縦断する長さを有し、巻取り繰出しが可能な可撓性を有する透水性の合成樹脂製長尺遮光ネットでなり、長尺遮光ネットとしては、合成樹脂製の横糸の相互間に通水可能な隙間が形成された織物や、それをポリ塩化ビニル樹脂でコート処理した織物を採用することができるので、従来の大形遮光蓋に比べて安価であるにもかかわらず、強度や耐久性に優れ、しかも取扱性に優れる。また、長尺遮光ネットの長さや幅を、水処理層の開口の長さや幅に合わせて任意に定めることができるという利点がある。
【００２８】
さらに、防藻用カバーの長手方向の一端部に引紐を連結しておくと、その防藻用カバーを展張しやすくなるという効果がある。
【００２９】
本発明に係る防藻用カバーの展張装置によると、長尺の防藻用カバーを容易に巻き取ったり繰出したりすることができ、また、展張された防藻用カバーが風に煽られて吹き上げられるといった事態や、展張された防藻用カバーが垂れ下がるといった事態が起こらなくなるという効果がある。
【図面の簡単な説明】
【図１】本発明の実施の一形態である防藻用カバーの使用状態を示す概略平面図である。
【図２】防藻用カバーに用いられている長尺遮光ネットの部分平面図である。
【図３】ガイド部材の作用を示す部分斜視図である。
【図４】巻取り機構の概略斜視図である。
【符号の説明】
Ａ  防藻用カバー
１  長尺遮光ネット
２  水処理槽の開口
５  巻取り機構
６  ガイド部材
１１  縦糸
１２  横糸
６５，６６  ローラ
Ｓ  隙間
【図１】
0003723918.tif 000002
【図２】
0003723918.tif 000003
【図３】
0003723918.tif 000004
【図４】
0003723918.tif 000005